(57)【要約】【課題】発光体を照明機能を含む複数の機能に利用したものであっても、コストを抑えてコンパクト化も達成する。【解決手段】充電式インパクトドライバ１において、ハウジング２の延設部１６に設けられるライトユニット１７は、基板１８と、その基板１８へ前向きに配設されるＬＥＤ１９と、そのＬＥＤ１９の前方に設けられるレンズ２０とを備えている。ＬＥＤ１９は、点灯してビットの前方を照射する照明機能と、点滅してバッテリーパック７のバッテリー容量低下を報知する報知機能とに兼用される。【選択図】図２
2013119149.tif 000002
【特許請求の範囲】
【請求項１】
ハウジングに、前方を照射する照明機能を含む複数の機能に使用される少なくとも１つの発光体を設けてなる電動工具。
【請求項２】
電源となるバッテリーを備え、前記照明機能以外の機能を、前記バッテリーの容量低下の報知機能としたことを特徴とする請求項１に記載の電動工具。
【請求項３】
前記発光体の側方に、前記ハウジングの左右両側へ張り出すレンズをそれぞれ設けて、前記レンズを前記ハウジングの後方からも視認可能としたことを特徴とする請求項１又は２に記載の電動工具。
【請求項４】
前記バッテリーの容量低下を、前記発光体の点滅によって報知することを特徴とする請求項２に記載の電動工具。
【請求項５】
前記レンズを拡散レンズとしたことを特徴とする請求項３に記載の電動工具。
【請求項６】
前記発光体の前方にもレンズを設けて、当該レンズと前記発光体の側方に設けられるレンズとを一体に形成したことを特徴とする請求項４に記載の電動工具。
【発明の詳細な説明】
【技術分野】
【０００１】
本発明は、充電式インパクトドライバ等の電動工具に関する。
【背景技術】
【０００２】
充電式インパクトドライバ等の電動工具においては、例えば特許文献１に開示のように、ハウジングに発光体としてのＬＥＤを斜め上向きに設けて、モータの駆動時には、ＬＥＤを発光させてビットの前方を照射可能としている。一方、グリップ部の下方に形成されるバッテリーパックの連結部には、電気回路基板を配置している。この電気回路基板には、締付け速度やバッテリ容量等を表示するＬＥＤが組み込まれて、透明な表示確認部からＬＥＤの表示を確認可能としている。
【先行技術文献】
【特許文献】
【０００３】
【特許文献１】特開２００７−２８３４４７号公報
【発明の概要】
【発明が解決しようとする課題】
【０００４】
上記従来の電動工具においては、照明機能用のＬＥＤと、バッテリ容量等の報知機能用のＬＥＤとを別々に配置しているため、配線が複雑になってコストアップを招く上、電動工具自体のコンパクト化の障害になるおそれもある。
【０００５】
そこで、本発明は、ＬＥＤ等の発光体を照明機能を含む複数の機能に利用したものであっても、配線を単純化でき、コストを抑えてコンパクト化にも繋がる電動工具を提供することを目的としたものである。
【課題を解決するための手段】
【０００６】
上記目的を達成するために、請求項１に記載の発明は、ハウジングに、前方を照射する照明機能を含む複数の機能に使用される少なくとも１つの発光体を設けてなることを特徴とするものである。
請求項２に記載の発明は、請求項１の構成において、電源となるバッテリーを備え、照明機能以外の機能を、バッテリーの容量低下の報知機能としたことを特徴とするものである。
請求項３に記載の発明は、請求項１又は２の構成において、発光体の側方に、ハウジングの左右両側へ張り出すレンズをそれぞれ設けて、レンズをハウジングの後方からも視認可能としたことを特徴とするものである。
請求項４に記載の発明は、請求項２の構成において、バッテリーの容量低下を、発光体の点滅によって報知することを特徴とするものである。
請求項５に記載の発明は、請求項３の構成において、レンズを拡散レンズとしたことを特徴とするものである。
請求項６に記載の発明は、請求項４の構成において、発光体の前方にもレンズを設けて、当該レンズと発光体の側方に設けられるレンズとを一体に形成したことを特徴とするものである。
【発明の効果】
【０００７】
請求項１に記載の発明によれば、１つの発光体を照明機能を含む複数の機能に使用するようにしたことで、当該複数の機能に発光体を利用したものであっても配線が単純化する。よって、コストを抑えてコンパクト化も達成することができる。
請求項２に記載の発明によれば、請求項１の効果に加えて、発光体を利用してバッテリーの容量低下を容易に知ることができる。
請求項３に記載の発明によれば、請求項１又は２の効果に加えて、電動工具を後方から見ても発光体による機能を容易に認識することができる。
請求項４に記載の発明によれば、請求項２の効果に加えて、照明機能と区別してバッテリーの容量低下を確実に報知することができる。
請求項５に記載の発明によれば、請求項３の効果に加えて、発光体の視認性をより向上させることができる。
請求項６に記載の発明によれば、請求項４の効果に加えて、組付けが簡単で発光体に対する位置決めも容易に行える。
【図面の簡単な説明】
【０００８】
【図１】充電式インパクトドライバの側面図である。
【図２】充電式インパクトドライバの縦断面図である。
【図３】図１のＡ−Ａ線の一部断面図である。
【図４】充電式インパクトドライバの正面図である。
【図５】充電式インパクトドライバの底面図である。
【図６】充電式インパクトドライバを後方から見た斜視図である。
【発明を実施するための形態】
【０００９】
以下、本発明の実施の形態を図面に基づいて説明する。
図１は、電動工具の一例である充電式インパクトドライバの側面図、図２は縦断面図である。この充電式インパクトドライバ１は、上部後方（図１，２の右側を前方とする。）にモータ４を収容して下方にハンドル３が連設されるハウジング２の前方に、打撃機構６を収容するハンマーケース５を連結してなる。ハンドル３の下端には、電源となるバッテリーパック７が装着されている。打撃機構６は、モータ４から遊星歯車減速機構８を介して回転伝達されるスピンドル９に、ボール１０，１０を介してハンマー１１を連結すると共に、スピンドル９に外装されるコイルバネ１２によって、ハンマー１１を、ハンマーケース５の前端に軸支されるアンビル１３と係合させる周知の構成である。アンビル１３には図示しないビットが差し込み装着可能となっている。
【００１０】
１４は、ハンドル３の上部に収容されてモータ４の駆動回路に設けられるスイッチ、１５は、スイッチ１４から前方へ突出付勢されて設けられ、押し込み操作によってスイッチ１４をＯＮさせるトリガーである。トリガー１５とハンマーケース５との間には、ハンマーケース５の下面を覆うように前方へ突出するハウジング２の延設部１６が形成されて、その延設部１６にライトユニット１７が設けられている。
【００１１】
このライトユニット１７は、バッテリーパック７の図示しないコントローラに電気的接続される基板１８と、その基板１８へ前向きに配設される発光体としてのＬＥＤ１９と、そのＬＥＤ１９の前方に設けられるレンズ２０とを備えている。このレンズ２０は、図３に示すように、ＬＥＤ１９を前方から覆うように形成された円筒形の拡散レンズとなる前レンズ部２１と、その前レンズ部２１の左右に連設され、側方へそれぞれ膨らむように形成される拡散レンズとなる左右一対の側レンズ部２２，２２とを一体形成してなる。延設部１６の前端で左右方向の中央には、図４，５にも示すように、前レンズ部２１が嵌合してその前端を露出させる円形の中央窓２３が形成される一方、その中央窓２３の左右には、側レンズ部２２，２２を前面から側面にかけて露出させる四角形状の一対の側窓２４，２４が形成されている。組み付け状態で側レンズ部２２，２２は、横窓２４，２４を介して延設部１６から左右へ張り出すようになっている。
【００１２】
一方、ＬＥＤ１９は、バッテリーパック７のコントローラの制御により、スイッチ１４がＯＮしてモータ４が駆動すると同時に点灯動作すると共に、バッテリーパック７のバッテリーの残容量が一定量以下となると、点滅動作を行うようになっている。すなわち、１つのＬＥＤ１９に、アンビル１３に装着されたビットの前方を照射する照明機能と、バッテリーの容量低下を報知する報知機能とを兼備させたものである。
【００１３】
以上の如く構成された充電式インパクトドライバ１においては、トリガー１５を押し込み操作してスイッチ１４をＯＮさせ、モータ４を駆動させると、スピンドル９が減速回転し、ボール１０，１０を介してハンマー１１を回転させ、ハンマー１１が係合するアンビル１３を回転させるため、アンビル１３の先端に装着したビットによってネジ締め等が可能となる。ネジ締めが進んでアンビル１３のトルクが高まると、ハンマー１１は、ボール１０，１０がスピンドル９の周面に形成したカム溝に沿って転動することで、スピンドル９に対して相対的に回転しながらコイルバネ１２の付勢に抗して後退する。そして、ハンマー１１がアンビル１３から外れると、ハンマー１１はコイルバネ１２の付勢により回転しながら前進する。よって、ハンマー１１が再びアンビル１３に係合して回転打撃力（インパクト）を発生させる。このアンビル１３への係脱をハンマー１１が繰り返すことで増し締めが行われる。
【００１４】
このモータ４の駆動中、ライトユニット１７では、基板１８に通電されてＬＥＤ１９が点灯するため、ＬＥＤ１９の光は、前レンズ部２１によって拡散しながらビットの前方に照射される。よって、作業箇所の照明が可能となって暗い場所でも作業性は損なわれない。また、前レンズ部２１ほどの明るさはないものの、左右の側レンズ部２２，２２においても、ＬＥＤ１９の光が集光されてそれぞれ左右で拡散するため、手許の照明も可能となる。
【００１５】
一方、使用に伴ってバッテリーパック７のバッテリー容量が低下し、残容量が一定量以下となると、ＬＥＤ１９が点滅を開始する。すると、前方に照射される光も点滅することになるため、作業者はバッテリーの容量低下を容易に認識することができる。特に、ＬＥＤ１９の点滅は、左右の側レンズ部２２，２２からの発光でも生じるため、図６のように充電式インパクトドライバ１を後方から見たような場合でも左右に張り出した側レンズ部２２，２２によって点滅を確実に視認することができる。
【００１６】
このように、上記形態の充電式インパクトドライバ１によれば、ハウジング２の延設部１６に、前方を照射する照明機能とバッテリー容量低下の報知機能とに使用される１つのＬＥＤ１９を設けたことで、ＬＥＤ１９を照明機能と報知機能との複数の機能に利用したものであっても配線が単純化する。よって、コストを抑えてコンパクト化も達成することができる。
【００１７】
特にここでは、照明機能以外の機能を、バッテリーの容量低下の報知機能としたことで、ＬＥＤ１９を利用してバッテリーの容量低下を容易に知ることができる。
また、ＬＥＤ１９の側方に、ハウジング２の左右両側へ張り出す側レンズ部２２，２２をそれぞれ設けて、側レンズ部２２，２２をハウジング２の後方からも視認可能としているので、充電式インパクトドライバ１を後方から見てもＬＥＤ１９による報知を容易に認識することができる。
さらに、バッテリーの容量低下を、ＬＥＤ１９の点滅によって報知するようにしているので、照明機能と区別してバッテリーの容量低下を確実に報知することができる。
【００１８】
一方、レンズ２０を拡散レンズとしたことで、ＬＥＤ１９の視認性をより向上させることができる。
また、ＬＥＤ１９の前方にも前レンズ部２１を設けて、前レンズ部２１と側レンズ部２２とを一体に形成したことで、組付けが簡単でＬＥＤ１９に対する位置決めも容易に行える。
【００１９】
なお、上記形態では、レンズの側レンズ部を左右両側へ張り出させて後方からも視認可能としているが、これと逆に、側レンズ部を張り出させずにその後方の延設部にえぐり（凹部）を設けることで側レンズ部を後方から視認可能としてもよい。
また、上記形態では、前レンズ部と側レンズ部とが一体形成されたレンズを用いているが、前レンズ部と側レンズ部とがそれぞれ別体で形成されて延設部に組み付けられるものであっても差し支えない。
【００２０】
さらに、照明機能以外の機能としては、バッテリーの容量低下の報知機能の他、バッテリー過熱の報知機能や回路異常の報知機能等も考えられる。これらの機能も例えば点滅パターンを変える等すれば１つの発光体で対応できる。
一方、複数の機能に利用される発光体は複数あってもよいし、発光体もＬＥＤ以外の素子が利用可能である。
その他、電動工具としては充電式インパクトドライバに限らず、電動ドリルや電動ドライバ等の他の種類であっても本発明は適用可能である。バッテリーに係る機能に発光体を利用するのでなければ充電式でなくてもよい。
【符号の説明】
【００２１】
１・・充電式インパクトドライバ、２・・ハウジング、３・・ハンドル、４・・モータ、６・・打撃機構、７・・バッテリーパック、８・・遊星歯車減速機構、９・・スピンドル、１１・・ハンマー、１３・・アンビル、１４・・スイッチ、１６・・延設部、１７・・ライトユニット、１８・・基板、１９・・ＬＥＤ、２０・・レンズ、２１・・前レンズ部、２２・・側レンズ部、２３・・中央窓、２４・・側窓。
【図１】
2013119149.tif 000003
【図２】
2013119149.tif 000004
【図３】
2013119149.tif 000005
【図４】
2013119149.tif 000006
【図５】
2013119149.tif 000007
【図６】
2013119149.tif 000008